【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  撮影した画像データをデジタルデータで一画面ずつ所定速度で連続して出力する撮像手段と、
前記撮像手段から出力された画像データの画素数を変更する画素数変更処理を行う画像処理手段と、
前記画像処理手段から出力された画像データを表示する表示手段と、を備え、
前記表示手段の表示領域の画素数は、前記撮像手段から一画面ずつ出力される画像データの画素数よりも小さいことを特徴とし、
前記画像処理手段は、前記画像処理手段より出力される画像データの画素数が前記表示手段の表示領域の画素数より少なくなるように前記画素数変更処理を行うことを特徴とするデジタルカメラ装置。
【請求項２】  前記表示手段は、前記画像処理手段によって処理された画像データを拡大して表示するよう制御する表示制御手段を有することを特徴とする請求項１に記載のデジタルカメラ装置。
【請求項３】  前記デジタルカメラ装置は、撮影対象の確認に利用される光学式ファインダーを備えないことを特徴とする請求項１または請求項２に記載のデジタルカメラ装置。
【請求項４】  前記表示制御手段は、前記表示領域に表示する画像データの各画素を、前記表示領域の互いに隣接するｎ×ｎ画素（ｎは１より大きい実数）に表示するように制御することを特徴とする請求項２に記載のデジタルカメラ装置。
【請求項５】  前記デジタルカメラ装置は、撮影した画像データを保存する保存装置を装着する装着手段を備え、
前記装着手段に装着された保存装置に保存された画像データを使用者が閲覧する場合には、前記画像処理手段は、前記保存装置に保存された画像データを読み出し、前記読み出された画像データの画素数を前記表示手段の表示領域の画素数と等しくなるように前記画素数変更処理を行うことを特徴とする請求項１または請求項２に記載のデジタルカメラ装置。
【請求項６】  前記画像処理手段は、前記撮像手段から出力された画像データを取り込むキャプチャ手段を有し、前記キャプチャ手段が前記画素数変更処理を行うことを特徴とする請求項１ないし請求項５のいずれか１項に記載のデジタルカメラ装置。
【請求項７】  前記画像処理手段が出力する画像データの画素数は、変更可能であることを特徴とする請求項１ないし請求項６のいずれか１項に記載のデジタルカメラ装置。
【請求項８】  前記画像処理手段は、前記画素数変更処理を行った後に、前記画素数変更処理により画素数を変更された画像データの画像形式を変更する画像形式変更処理を行うことを特徴とする請求項７に記載のデジタルカメラ装置。
【請求項９】  前記撮像手段から画像データを一画面出力する時間に対して、前記画像処理手段に前記画像形式変更処理に要する時間及び前記表示手段による表示にかかる時間との和の時間が大きい場合に、前記画像処理手段は、前記出力する画像データの画素数を減少させるように前記画素数変更処理を行うことを特徴とする請求項８に記載のデジタルカメラ装置。
【請求項１０】  前記撮像手段から画像データを一画面出力する時間に対して、前記画像処理手段の前記画像形式変更処理及び前記表示手段による表示にかかる時間との和の時間が小さい場合に、前記出力する画像データの画素数を増加させるよう前記画素数変更処理を行うことを特徴とする請求項８に記載のデジタルカメラ装置。
【請求項１１】  前記表示手段の表示領域に表示する画素数の下限が設定されており、
前記画素処理手段は、処理して出力する画像データの画素数が前記下限より減少しないよう前記画素数変更処理を行うことを特徴とする請求項９に記載のデジタルカメラ装置。
【請求項１２】  前記画像処理手段より出力される画像データの画素数の上限は、前記表示領域の画素数であり、前記画像処理手段は、処理して出力する画像データの画素数が前記上限より増加しないよう前記画素数変更処理を行うことを特徴とする請求項１０に記載のデジタルカメラ装置。
【請求項１３】  前記表示手段は、表示する画像データに文字またはイラストを重ね合わせて表示することを特徴とし、前記文字またはイラストを前記表示領域に表示する表示画素数は、前記表示領域のうち、前記文字またはイラストを表示する領域の画素数と等しいことを特徴とする請求項１ないし請求項４のいずれか１項に記載のデジタルカメラ装置。
【請求項１４】  前記画像処理手段は、前記保存装置に保存する画像データに文字またはイラストを重ね合わせて保存する処理を行い、前記保存装置に保存される文字またはイラストの画素数は、前記保存装置に保存される画像データの画素数と等しいことを特徴とする請求項５に記載のデジタルカメラ装置。
【請求項１５】  前記画像処理手段は、前記撮像手段から出力された画像データを縮小することにより画素数を少なくなるように前記画素数変更処理を行うことを特徴とする請求項１ないし請求項１４のいずれか１項に記載のデジタルカメラ装置。
【手続補正２】
【補正対象書類名】明細書
【補正対象項目名】００１９
【補正方法】変更
【補正の内容】
【００１９】
画素数が１６０×１２０の場合、カメラ撮影画像をキャプチャしてメモリに出力するのに要する時間は３．８８ｍｓ。次に、その画像をメモリから読み込んでＲＧＢに変換し、メモリに出力するのに要する時間は１５．５２ｍｓ。次に、このデータをメモリから読み込んで、ＯＳＤ等の処理を行い、メモリに出力するのに要するＬＣＤドライバの処理時間が１２ｍｓ。そして、メモリのデータをＬＣＤに表示するために転送する時間が７．６８ｍｓ。これらを合計すると３９．０７ｍｓとなり、これがカメラスルー時の１フレームを処理するのに要する時間となる。これを逆数にすれば、この回路で実現可能な理論上最大のフレームレートが得られ、ここでは２５．５９ｆｐｓとなる。
【手続補正３】
【補正対象書類名】明細書
【補正対象項目名】００２８
【補正方法】変更
【補正の内容】
【００２８】
本発明は、撮像対象を、一画面ずつ一定速度で連続して表示手段に表示するデジタルカメラ装置において、撮像対象を高いフレームレートで表示することを目的とする。
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】変更
【補正の内容】
【００３０】
【課題を解決するための手段】
前記課題を解決するために本発明では、デジタルカメラ装置において、撮影した画像データをデジタルデータで一画面ずつ所定速度で連続して出力する撮像手段と、前記撮像手段から出力された画像データの画素数を変更する画素数変更処理を行う画像処理手段と、前記画像処理手段から出力された画像データを表示する表示手段と、を備え、前記表示手段の表示領域の画素数は、前記撮像手段から一画面ずつ出力される画像データの画素数よりも小さいことを特徴とし、前記画像処理手段は、前記画像処理手段より出力される画像データの画素数が前記表示手段の表示領域の画素数より少なくなるように前記画素数変更処理を行う。
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００７２
【補正方法】変更
【補正の内容】
【００７２】
垂直同期信号が入った後、フレームＦ２のキャプチャが一定時間毎に、画素数分の回数行われる。カメラのフレームレートを画素数で割った値、即ちカメラから画像データが一画素ずつ送られてくるタイミング（具体的には、ＱＶＧＡ画素データの１５ｆｐｓでキャプチャするとして、１ｓｅｃ÷１５ｆｐｓ÷（３２０×２４０）＝０．８６μｓ）に対して、それをメモリに書込みに必要な時間は（例えばＳＲＡＭを用いて１００ｎｓ）はるかに短く、キャプチャによるメモリへのアクセス時間の総和は１フレーム分の時間に比べて短い。
【手続補正９】
【補正対象書類名】明細書
【補正対象項目名】００７５
【補正方法】変更
【補正の内容】
【００７５】
図８に示したサイクルタイムＴ１と変換転送時間Ｔ３を比較して（ステップＳ０１）、変換転送時間Ｔ３＞サイクルタイムＴ１の場合（Ｎｏ）は、所定のフレームレートを確保できないと判断して、画素数を減らしてデータの転送量を削減する。このとき、ＬＣＤ画面に表示する画像が画素数削減の違和感を極端に感じない程度に画素数の最小値を設定しておき、現在の表示画素数が既に最小であるかどうかを判断する（ステップＳ０２）。表示画素数が既に最小画素数である場合（Ｙｅｓ）は、設定変更をしない。この場合は、画像変換処理およびＬＣＤ表示処理に要する変換転送時間Ｔ３がサイクルタイムＴ１を越えているため、そのときにキャプチャした画像は捨てて、次のキャプチャ時の画像を表示するための処理を行う。現在の表示画素数が最小画素数でないときには、画素数を下げる処理（ステップＳ０３）を行い、画素数を下げて変換転送時間Ｔ３をサイクルタイムＴ１以下とする。
【手続補正１０】
【補正対象書類名】明細書
【補正対象項目名】００８１
【補正方法】変更
【補正の内容】
【００８１】
図７で示したように、本発明にかかるデジタルカメラ装置で高速フレームレートのカメラスルーを行うと、ＬＣＤ１４に表示する画像の解像度が低下する。このとき、ＯＳＤ処理により画面に文字やイラストを重ねて表示する際に、表示画像と同じ解像度のＯＳＤをキャプチャの時点など、解像度を落とす前に重ねると、ＬＣＤで表示するＯＳＤ自体の解像度も低下する。
【手続補正１１】
【補正対象書類名】明細書
【補正対象項目名】００８３
【補正方法】変更
【補正の内容】
【００８３】
そして撮影画像には、ＯＳＤ処理Ｐ１９２で生成した文字やイラストを撮影画像に重ねてＪＰＥＧエンコード処理Ｐ１６し、ＪＰＥＧファイル１７を作成することで、撮影画像と同一の解像度の高い文字やイラストの重ね合わせを行うことができる。すなわち、本発明は、撮影前に被写体を液晶表示装置で観察する状態、いわゆるカメラスルー状態で、フレームレートを下げることなく動画像を表示することを可能とし、被写体を液晶表示装置で十分観察しながら撮影できるデジタルカメラ装置を提供することを目的とし、カメラスルー状態で、実際の撮影画像や液晶表示画像の画素数に対して、ＣＰＵバスを通過する画像の解像度を下げることで、フレームレートを下げることなく表示する。このとき実際に撮影する画像は、解像度を下げずに撮影し、撮影した結果の静止画像も高い解像度のまま、液晶表示装置に表示する。この場合は、静止画像の表示のため、問題になったフレームレートの低下は考慮する必要はない。尚、この方式を適用できる条件として、カメラの光学系が固定焦点方式もしくは自動合焦点装置もしくは距離の目測結果の入力等により、ユーザーの自らの目視により撮影画像を直接見ながらのピント合わせが不要であることが前提となる。この点は、特に携帯電話機に搭載するカメラは超小型のものが使用されるため、その光学系の焦点距離Ｌが極めて短く（具体的にはＬ＝２〜３ｍｍ程度）、被写体深度が十分深いため、基本的に固定焦点で使用することが可能であり、この方式は有用となる。
【手続補正１２】
【補正対象書類名】明細書
【補正対象項目名】００８４
【補正方法】変更
【補正の内容】
【００８４】
【発明の効果】
本発明のデジタルカメラ装置によると、撮影対象を、一画面ずつ一定速度で連続して表示手段に表示するデジタルカメラ装置において、撮影対象を高いフレームレートで表示することが可能となる。
【手続補正１３】
【補正対象書類名】図面
【補正対象項目名】図３
【補正方法】変更
【補正の内容】
【図３】
2004274118.tif 000001